(57)【要約】【課題】スクロールポンプから吐出されてくる流体の脈動を抑制することが可能であり、流体供給システムの振動や騒音を低減することができる構成とされたスクロールポンプの吐出流路を提供することにある。【解決手段】スクロールポンプ１の流体吐出口９ａから吐出されてきた流体が流通する吐出流路であり、流体が並列に分岐されて流通する複数の分岐経路２２ａ，２２ｂからなる分岐経路群２２と、この分岐経路群２２を流通し終えた流体が合流して流通する合流経路２３とを具備している。そして、このとき、分岐経路群２２は互いの経路長が異なる２つの分岐経路２２ａ，２２ｂから構成されており、これら分岐経路２２ａ，２２ｂ同士の経路長差は（ｎ＋０．５）ｆ×Ｖ（但し、ｎ：整数、ｆ：回転周波数、Ｖ：流速）とほぼ等しくなるよう設定されている。【選択図】　　　　図１
2004028034.tif 000002
【特許請求の範囲】
【請求項１】
スクロールポンプの流体吐出口から吐出されてきた流体が流通する吐出流路であって、
流体が並列に分岐されて流通する複数の分岐経路からなる分岐経路群と、この分岐経路群を流通し終えた流体が合流して流通する合流経路とを具備していることを特徴とするスクロールポンプの吐出流路。
【請求項２】
前記分岐経路群は互いの経路長が異なる２つの分岐経路から構成されており、これら分岐経路同士の経路長差は
（ｎ＋０．５）ｆ×Ｖ　（但し、ｎ：整数、ｆ：回転周波数、Ｖ：流速）
とほぼ等しくなるよう設定されていることを特徴とする請求項１に記載したスクロールポンプの吐出流路。
【請求項３】
前記分岐経路群及び合流経路を複数ずつ具備しており、これらの各々は前記流体吐出口側から順次交互に配置されていることを特徴とする請求項１に記載したスクロールポンプの吐出流路。
【請求項４】
前記分岐経路群のそれぞれは互いの経路長が異なる２つの分岐経路から構成されており、各分岐経路群を構成している分岐経路同士の経路長差は前記流体吐出口から離間するのに従って小さくなるよう設定されていることを特徴とする請求項３に記載したスクロールポンプの吐出流路。
【請求項５】
前記分岐経路群のそれぞれを構成する分岐経路同士の経路長差は前記流体吐出口から離間している順番に従って
（ｎ＋０．５）ｆ×Ｖ×１／２（ａ−１）　　（但し、ｎ：整数、ｆ：回転周波数、Ｖ：流速、ａ：前記流体吐出口から該分岐経路群が離間している順番）
とほぼ等しくなるよう設定されていることを特徴とする請求項４に記載したスクロールポンプの吐出流路。
【請求項６】
前記分岐経路群は互いの経路長が異なる３つ以上の分岐経路から構成されており、これら分岐経路同士の経路長差は
（ｎ＋１／ｂ）ｆ×Ｖ　（但し、ｎ：整数、ｆ：回転周波数、Ｖ：流速、ｂ：分岐経路の個数）
とほぼ等しくなるよう設定されていることを特徴とする請求項１に記載したスクロールポンプの吐出流路。
【請求項７】
前記分岐経路群の複数を具備していることを特徴とする請求項６に記載したスクロールポンプの吐出流路。
【請求項８】
前記分岐経路群を構成している複数の分岐経路のうちの少なくとも１つは、その経路長の変更が可能な構成とされていることを特徴とする請求項１に記載したスクロールポンプの吐出流路。
【請求項９】
前記分岐経路群を構成している複数の分岐経路のうちの２つ以上はその経路長の変更が可能とされており、かつ、これら分岐経路の経路長は互いに連動して変更される構成であることを特徴とする請求項１に記載したスクロールポンプの吐出流路。
【請求項１０】
経路長の変更が可能な前記分岐経路は、差し込んで支持されたスライド構造を有するものであることを特徴とする請求項８または請求項９に記載したスクロールポンプの吐出流路。
【発明の詳細な説明】
【０００１】
【発明の属する技術分野】
本発明は、スクロールポンプの吐出流路にかかり、特には、スクロールポンプから吐出されてくる流体の脈動を低減することが可能な吐出流路の構造に関する。
【０００２】
【従来の技術】
従来から、スクロールポンプは空気などのような流体を圧縮するための圧縮機として使用されるのが一般的であり、例えば、流体が空気である場合のスクロールポンプによっては、図１２で示すような空気供給システムが構築されている。この空気供給システムは、圧縮された空気を吐出するスクロールポンプ１と、吐出された空気が溜まるエアバッグ２と、スクロールポンプ１からの空気が流通してエアバッグ２へと導かれる吐出流路、つまり、同一内径の管路である吐出流路３と、スクロールポンプ１及びエアバッグ２間に介装されて空気を外部へと排出する排気弁４とを備えており、スクロールポンプ１及び排気弁４のそれぞれは制御回路５で制御される。
【０００３】
一方、スクロールポンプ１自体は、図１３で示すように、駆動モータ６と、モータ軸６ａに圧入された偏心カム７と、円板８ａ上に渦巻き形状の可動側羽根８ｂが設けられ、かつ、偏心カム７によって駆動される可動スクロール８と、この可動スクロール８と対向して配置されたうえで渦巻き形状の固定側羽根９ａが可動側羽根８ｂと対向しあうのに伴って空気室を構成する固定スクロール９とを具備している。また、駆動モータ６及び固定スクロール９を支持するハウジング１０と、可動スクロール８及びハウジング１０間に配置されたオルダムリング１１と、可動スクロール８に発生するモーメントを軽減するためのカウンタバランサ（図示省略）とを具備している。
【０００４】
すなわち、このスクロールポンプ１では、つぎのような動作によって空気が圧縮され、かつ、圧縮された空気が吐出される。まず、駆動モータ６の回転に伴っては偏心カム７がモータ軸６ａを中心として公転することになり、可動スクロール８も偏心カム７に従って公転しようとする。ところが、可動スクロール８の自転はオルダムリング１１で制限されているため、この可動スクロール８は旋回することとなり、可動スクロール８の旋回に伴っては、図１４（ａ）〜（ｄ）で示すように、可動側羽根８ｂと固定側羽根９ａとで囲まれた空気室の内容積が徐々に小さくなる。
【０００５】
そして、空気室の内容積が徐々に小さくなるのに従っては空気室内の空気が圧縮されることになり、圧縮された空気は固定スクロール９の中心位置近くに設けられた空気吐出口９ｂから外部へと吐出される。さらに、スクロールポンプ１の空気吐出口９ｂから吐出されてきた空気は吐出流路３を通ってエアバッグ２へと流入することになり、このエアバッグ２によって蓄えられる。
【０００６】
なお、エアバッグ２における給気及び排気は、スクロールポンプ１及び排気弁４を制御回路５で制御することにより実行される。すなわち、このスクロールポンプ１では、駆動モータ６のモータ軸６ａに対して所定量だけ偏心させられた偏心カム７を通じて可動スクロール８へと駆動モータ６の駆動力が伝達されることになり、この可動スクロール８が旋回するのに伴って可動側羽根８ｂ及び固定側羽根９ａ間の空気室が移動しながら縮小する結果として空気が圧縮されたうえで空気吐出口９ｂから吐出されてくる。
【０００７】
【発明が解決しようとする課題】
ところで、一般的なスクロールポンプ１においては、図１５（ａ），（ｂ）で示すように、中心気室１２が形成される直前及び直後の時点それぞれで中心気室１２の内容積が大きく変化することが起こる。なお、ここでの図１５（ａ）は中心気室１２が形成される直前時点の状態、また、図１５（ｂ）は中心気室１２が形成された直後時点の状態をそれぞれ示している。
【０００８】
そして、中心気室１２の内容積変化に伴っては、図１６で示すように、内容積の急拡大によって空気圧力がＰ０（ｋＰａ）まで瞬間的に低下した後、内容積が縮小するのに連れて空気圧力がＰ１（ｋＰａ）まで徐々に上昇することとなり、このような圧力変動が繰り返される。このとき、モータ回転数をＮ（ｒｐｍ）とし、吐出される空気の流速をＶ（ｍ／ｓｅｃ）とすると、スクロールポンプ１の空気吐出口９ｂにおける空気圧力の変動周期ｆは１／（Ｎ／６０）（秒）で表され、また、吐出された空気が１周期のうちに進行する距離はＶ／ｆ（ｍ）で表される。
【０００９】
従って、スクロールポンプ１の空気吐出口９ｂへと接続された吐出流路３、つまり、同一内径の管路である吐出流路３の管内における空気の圧力分布は、図１７のようにして表される。すなわち、スクロールポンプ１から吐出されたうえでエアバッグ２へと供給される空気には（Ｐ１−Ｐ０）の圧力変動が発生し、このような圧力変動に伴う脈動が発生する結果、従来の空気供給システムでは、空気の脈動に起因した騒音や振動が生じることになってしまう。
【００１０】
本発明はこれらの不都合に鑑みて創案されたものであって、スクロールポンプから吐出されてくる流体の脈動を抑制することが可能であり、流体供給システムの振動や騒音を低減することができる構成とされたスクロールポンプの吐出流路を提供することを目的としている。
【００１１】
【課題を解決するための手段】
請求項１記載の発明にかかるスクロールポンプの吐出流路は、スクロールポンプの流体吐出口から吐出されてきた流体が流通する吐出流路であり、流体が並列に分岐されて流通する複数の分岐経路からなる分岐経路群と、この分岐経路群を流通し終えた流体が合流して流通する合流経路とを具備していることを特徴とする。
【００１２】
請求項２記載の発明にかかるスクロールポンプの吐出流路は請求項１に記載したものであって、前記分岐経路群は互いの経路長が異なる２つの分岐経路から構成されており、これら分岐経路同士の経路長差は
（ｎ＋０．５）ｆ×Ｖ　（但し、ｎ：整数、ｆ：回転周波数、Ｖ：流速）
とほぼ等しくなるよう設定されていることを特徴とする。
【００１３】
請求項３記載の発明にかかるスクロールポンプの吐出流路は請求項１に記載したものであって、前記分岐経路群及び合流経路を複数ずつ具備しており、これらの各々は前記流体吐出口側から順次交互に離間しながら配置されていることを特徴とする。
【００１４】
請求項４記載の発明にかかるスクロールポンプの吐出流路は請求項３に記載したものであって、前記分岐経路群のそれぞれは互いの経路長が異なる２つの分岐経路から構成されており、各分岐経路群を構成している分岐経路同士の経路長差は前記流体吐出口から離間するのに従って小さくなるよう設定されていることを特徴とする。
【００１５】
請求項５記載の発明にかかるスクロールポンプの吐出流路は請求項４に記載したものであって、前記分岐経路群のそれぞれを構成する分岐経路同士の経路長差は前記流体吐出口から離間している順番に従って
（ｎ＋０．５）ｆ×Ｖ×１／２（ａ−１）　　（但し、ｎ：整数、ｆ：回転周波数、Ｖ：流速、ａ：前記流体吐出口から該分岐経路群が離間している順番）
とほぼ等しくなるよう設定されていることを特徴とする。
【００１６】
請求項６記載の発明にかかるスクロールポンプの吐出流路は請求項１に記載したものであって、前記分岐経路群は互いの経路長が異なる３つ以上の分岐経路から構成されており、これら分岐経路同士の経路長差は
（ｎ＋１／ｂ）ｆ×Ｖ　（但し、ｎ：整数、ｆ：回転周波数、Ｖ：流速、ｂ：分岐経路の個数）
とほぼ等しくなるよう設定されていることを特徴とする。
【００１７】
請求項７記載の発明にかかるスクロールポンプの吐出流路は請求項６に記載したものであり、前記分岐経路群の複数を具備していることを特徴とする。
【００１８】
請求項８記載の発明にかかるスクロールポンプの吐出流路は請求項１に記載したものであり、前記分岐経路群を構成している複数の分岐経路のうちの少なくとも１つは、その経路長の変更が可能な構成とされていることを特徴とする。
【００１９】
請求項９記載の発明にかかるスクロールポンプの吐出流路は請求項１に記載したものであって、前記分岐経路群を構成している複数の分岐経路のうちの２つ以上はその経路長の変更が可能とされており、かつ、これら分岐経路の経路長は互いに連動して変更される構成であることを特徴としている。
【００２０】
請求項１０記載の発明にかかるスクロールポンプの吐出流路は請求項８または請求項９に記載したものであり、経路長の変更が可能な前記分岐経路は、差し込んで支持されたスライド構造を有するものであることを特徴としている。
【００２１】
【発明の実施の形態】
図１は実施の形態１にかかるスクロールポンプの吐出流路の構造を示す縦断面図、図２（ａ）〜（ｅ）の各々は図１中のａ−ａ視断面、ｂ−ｂ視断面、ｃ−ｃ視断面、ｄ−ｄ視断面、ｅ−ｅ視断面を示す横断面図であり、図３〜図５の各々は空気の圧力分布状態を示す説明図である。そして、図６は実施の形態２にかかるスクロールポンプの吐出流路の構造を示す縦断面図、図７（ａ）〜（ｃ）のそれぞれは図６中のａ−ａ視断面、ｂ−ｂ視断面、ｃ−ｃ視断面を示す横断面図であり、図８及び図９の各々は空気の圧力分布状態を示す説明図である。
【００２２】
また、図１０は実施の形態３にかかる吐出流路の空気圧力の変動状態を示す説明図であり、図１１は実施の形態３にかかるスクロールポンプの吐出流路の構造を示す縦断面図である。ところで、本発明の実施の形態１〜実施の形態３それぞれにかかるスクロールポンプの吐出流路を備えてなる空気供給システムの全体構造は従来の形態と異ならないので、この際における空気供給システムの全体構造については、従来の形態と同一である図１２を参照しながら説明する。
【００２３】
なお、図１及び図６、図１１のそれぞれにおける符号２１は吐出流路を示しており、これらの吐出流路２１、つまり、スクロールポンプ１の吐出側に配設された吐出流路２１は、従来の形態で説明した空気供給システムの吐出流路３に代えて使用されることになっている。
［実施の形態１］
実施の形態１にかかるスクロールポンプの吐出流路は空気供給システムなどを構築するために使用されるものであり、図１２で示した従来の形態と同様、例えば、空気供給システムは、圧縮された空気を吐出するスクロールポンプ１と、吐出された空気が溜まるエアバッグ２と、スクロールポンプ１からの空気が流通してエアバッグ２へと導かれる吐出流路２１と、スクロールポンプ１及びエアバッグ２間に介装されて空気を外部へと排出する排気弁４とを備えている。
【００２４】
そして、スクロールポンプ１及び排気弁４のそれぞれは、制御回路５でもって制御される。なお、ここでのスクロールポンプ１自体は、従来の形態で説明したとの同一の構造を有しており、全く同じ動作を実行するものとされている。
【００２５】
スクロールポンプ１の空気吐出口９ｂには吐出流路２１が接続されており、このスクロールポンプ１で圧縮された空気は吐出流路２１を流通する。すなわち、この吐出流路２１は、図１で縦断面構造を示し、かつ、図２で各部分ごとの横断面構造を示す構成とされたものであり、スクロールポンプ１の空気吐出口９ｂから吐出された空気が並列に分岐されて流通する２つの分岐経路２２ａ，２２ｂからなる第１の分岐経路群２２と、この分岐経路群２２を流通し終えた空気が合流して流通する第１の合流経路２３と、この合流経路２３で合流した空気が再び並列に分岐されて流通する２つの分岐経路２４ａ，２４ｂからなる第２の分岐経路群２４と、この分岐経路群２４を流通し終えた空気が再び合流して流通する第２の合流経路２５とを具備している。
【００２６】
そして、第１の分岐経路群２２を構成する分岐経路２２ａ，２２ｂの各々は同一内径でありながら互いの経路長が異なるものとされており、これら分岐経路２２ａ，２２ｂの経路長差は（ｎ＋０．５）ｆ×Ｖ（但し、ｎ：整数、ｆ：回転周波数、Ｖ：流速）とほぼ等しくなるよう設定されている。すなわち、ここでは、分岐経路２２ｂの経路長の方が分岐経路２２ａの経路長よりも（ｎ＋０．５）ｆ×Ｖだけ長く設定されている。従って、この分岐経路群２２においては、スクロールポンプ１の空気吐出口９ｂから吐出されてきた空気が分岐経路２２ａ，２２ｂのそれぞれを通って流通することになり、流通し終えた空気のそれぞれが第１の合流経路２３で合流することとなる。
【００２７】
このとき、第１の分岐経路群２２を構成している分岐経路２２ａ，２２ｂの各々を流通し終えた直後の時点における空気の圧力分布は図３の説明図で示すようになり、その圧力変動は（Ｐ１−Ｐ０）で表される。しかしながら、引き続く第１の合流経路２３の管内における空気の圧力分布は図４の説明図で表されるようになり、この図４によれば、（Ｐ１−Ｐ０）で表される分岐前の圧力変動に比して合流後の圧力変動、つまり、（Ｐ’１−Ｐ’０）はその変動量が１／２程度となるまで抑制されていることが分かる。
【００２８】
さらに、引き続き、第１の合流経路２３を流通し終えた空気は、第２の分岐経路群２４を構成する２つの分岐経路２４ａ，２４ｂそれぞれへと再び並列に分岐されたうえで流入することになり、これらの分岐経路２４ａ，２４ｂのそれぞれを流通し終えた空気は互いに合流したうえで第２の合流経路２５へと流入し、この合流経路２５を流通する。そして、この際、第２の分岐経路群２４を構成している分岐経路２４ａ，２４ｂの各々は予め同一内径でありながらも経路長が異なるよう、例えば、経路長差が（０．５ｎ＋０．２５）ｆ×Ｖとほぼ等しくなるように設定されている。ここでも、分岐経路２４ｂの経路長の方が分岐経路２４ａの経路長よりも（０．５ｎ＋０．２５）ｆ×Ｖだけ長く設定されている。
【００２９】
そこで、第２の分岐経路群２４を構成する分岐経路２４ａ，２４ｂの各々を流通し終えて第２の合流経路２５で合流した空気の圧力分布は、２回にわたる分岐が繰り返されたため、図５の説明図で表されるようになる。すなわち、第２の合流経路２５の管内における空気の圧力変動、つまり、（Ｐ’’１−Ｐ’’０）で表される圧力変動の変動量は、スクロールポンプ１の空気吐出口９ｂから吐出されてきた分岐前の圧力変動である（Ｐ１−Ｐ０）に比し、１／４程度にまで抑制されていることになる。
【００３０】
そのため、実施の形態１にかかる構成とされた吐出流路２１を備えてなる空気供給システムでは、空気の圧力変動に伴う脈動が抑制されていることとなり、その結果として空気の脈動に起因した騒音や振動が生じ難くなるという利点が確保される。
【００３１】
ところで、実施の形態１においては、スクロールポンプ１の吐出流路２１が２つずつの分岐経路群２２，２４及び合流経路２３，２５を具備しているが、このような構成に限定されることはなく、図示省略しているが、分岐経路群及び合流経路が１つずつであったり、３つ以上ずつの分岐経路群及び合流経路を具備したりしていてもよいことは勿論である。そして、３つ以上の分岐経路群及び合流経路を具備している場合、これらの分岐経路群及び合流経路それぞれは、スクロールポンプ１の流体吐出口９ａ側から順次交互に配置される。
【００３２】
また、３つ以上の分岐経路群を具備している場合にあっては、各分岐経路群を構成している２つずつの分岐経路同士の経路長差がスクロールポンプ１の流体吐出口９ａから離間するに従って小さくなるよう設定することが行われる。すなわち、このとき、分岐経路群の各々を構成している分岐経路同士の経路長差は、具体的には、流体吐出口９ａから離間している順番に従って（ｎ＋０．５）ｆ×Ｖ×１／２（ａ−１）　（但し、ｎ：整数、ｆ：回転周波数、Ｖ：流速、ａ：流体吐出口から分岐経路群が離間している順番）とほぼ等しくなるように設定されている。　このような構成である場合には、分岐経路群の数が増えるほど、空気の圧力変動が抑制されることになる。なお、実施の形態１にかかる吐出流路２１を構成している第２の分岐経路群２４では、この分岐経路群２４がスクロールポンプ１の流体吐出口９ａから２番目の位置にあるので、上記した数式中のａが２とされる結果、分岐経路群２４を構成する分岐経路２４ａ，２４ｂの経路長差は（０．５ｎ＋０．２５）ｆ×Ｖの経路長差とされている。
［実施の形態２］
実施の形態２にかかるスクロールポンプの吐出流路も空気供給システムなどを構築するものであり、ここでの空気供給システムは、従来の形態と同様、圧縮された空気を吐出するスクロールポンプ１と、吐出された空気が溜まるエアバッグ２と、スクロールポンプ１からの空気が流通してエアバッグ２へと導かれる吐出流路２１と、スクロールポンプ１及びエアバッグ２間に介装されて空気を外部へと排出する排気弁４と、制御回路５とを備えている。なお、スクロールポンプ１自体は、従来の形態で説明したとの同一の構造を有し、かつ、全く同じ動作を実行することになっている。
【００３３】
また、この際におけるスクロールポンプ１の空気吐出口９ｂには吐出流路２１が接続されており、この吐出流路２１は、図６で縦断面構造を示し、かつ、図７で各部分ごとの横断面構造を示すような構成とされている。すなわち、ここでの吐出流路２１は、スクロールポンプ１の空気吐出口９ｂから吐出されてきた空気が並列に分岐されて流通する３つの分岐経路２７ａ，２７ｂ，２７ｃからなる分岐経路群２７と、この分岐経路群２７を流通し終えた空気が互いに合流して流通する合流経路２８とを具備している。
【００３４】
このとき、分岐経路群２７を構成している分岐経路２７ａ，２７ｂ，２７ｃのそれぞれは、同一内径でありながらも互いの経路長が異なるものとされており、これら分岐経路２７ａ，２７ｂ，２７ｃの経路長差は（ｎ＋１／３）ｆ×Ｖ（但し、ｎ：整数、ｆ：回転周波数、Ｖ：流速）とほぼ等しくなるよう設定されている。すなわち、この際、分岐経路２７ｂの経路長は分岐経路２７ａの経路長より（ｎ＋１／３）ｆ×Ｖだけ短く設定される一方、分岐経路２７ｃの経路長は分岐経路２７ａの経路長よりも（ｎ＋１／３）ｆ×Ｖだけ長く設定されている。
【００３５】
従って、この分岐経路群２７では、スクロールポンプ１の空気吐出口９ｂから吐出されてきた空気が３つの分岐経路２７ａ，２７ｂ，２７ｃそれぞれを通って流通することになり、流通し終えた空気は合流経路２８に流入したうえで合流することとなる。その結果、分岐経路群２７を構成している分岐経路２７ａ，２７ｂ，２７ｃの各々を流通し終えた直後の時点における空気の圧力分布は図８の説明図で示すようになり、その圧力変動は（Ｐ１−Ｐ０）で表される。
【００３６】
ところが、引き続く合流経路２８の管内における空気の圧力分布は図９の説明図で表されるようになり、この図９によれば、（Ｐ１−Ｐ０）で表される分岐前の圧力変動に比し、合流後の圧力変動の変動量、つまり、（Ｐ’’１−Ｐ’’０）は大きく抑制されていることが分かる。なお、実施の形態２においては、吐出流路２１の分岐経路群２７が３つの分岐経路２７ａ，２７ｂ，２７ｃを具備するとしているが、このような構造に限られず、図示省略しているが、４つ以上の分岐経路からなるものであってもよい。
【００３７】
そして、４つ以上の分岐経路からなる分岐経路群である場合にあっては、４つ以上の分岐経路のそれぞれ同士の経路長差を（ｎ＋１／ｂ）ｆ×Ｖ（但し、ｎ：整数、ｆ：回転周波数、Ｖ：流速、ｂ：分岐経路の個数）とほぼ等しくなるよう設定することが行われる。すなわち、吐出流路２１の長さが長くなるほど、圧力損失が大きくなってスクロールポンプ１の効率が低下することが起こるが、１つの分岐経路群が具備している分岐経路の数を増やすことにより空気の圧力変動を抑制することが可能となる。
【００３８】
また、ここでの詳しい説明は省略するが、３つ以上の分岐経路からなる分岐経路群と合流経路との複数ずつが配設されており、かつ、これらの分岐経路群及び合流経路が交互に繰り返して配置された構造を有する吐出流路２１を使用してもよいことは勿論である。
［実施の形態３］
ところで、スクロールポンプ１を構成している駆動モータ６のモータ回転数を変更したり、スクロールポンプ１の空気吐出口９ｂから吐出される空気の流速が変わったりした場合には、これらの変化に伴って空気の圧力分布が図１０で示すように変化することになる。そこで、実施の形態３にかかる空気供給システムでは、これを構成するスクロールポンプ１の吐出流路２１として図１１で示すようなものが使用される。なお、ここでのスクロールポンプ１自体は、従来の形態で説明したとの同一の構造を有し、かつ、全く同じ動作を実行するものである。
【００３９】
すなわち、実施の形態３にかかる空気供給システムも、従来の形態と同様、スクロールポンプ１と、エアバッグ２と、吐出流路２１と、排気弁４と、制御回路５とを備えて構成されたものであり、スクロールポンプ１の空気吐出口９ｂに接続された吐出流路２１は、図１１で縦断面構造を示すような構成とされている。すなわち、この吐出流路２１は、スクロールポンプ１の空気吐出口９ｂから吐出されてきた空気が並列に分岐されて流通する２つの分岐経路２９ａ，２９ｂからなる分岐経路群２９と、この分岐経路群２９を流通し終えた空気が互いに合流して流通する合流経路３０とを具備している。
【００４０】
そして、この際における一方側の分岐経路２９ｂは他方側の分岐経路２９ａへと差し込んで支持される構成とされており、分岐経路２９ｂは分岐経路２９ａへの差し込み長さを調整するのに伴って経路長の変更が可能となっている。このように、分岐経路群２９を構成している少なくとも１つの分岐経路、例えば、分岐経路２９ｂの経路長の変更が可能であれば、モータ回転数や空気の流速が変化に起因した空気の圧力変動にも容易に対処可能となる。
【００４１】
なお、ここでは分岐経路２９ｂの経路長が変更可能としているが、差し込んで支持されたスライド構造（図示省略）を分岐経路２９ａの中途位置にも設けることとし、この分岐経路２９ａの経路長をも変更可能としてもよいことは勿論である。また、図示省略しているが、分岐経路群を３つ以上の分岐経路で構成してもよく、このような場合には、２つ以上の分岐経路の経路長を変更可能とし、経路長が変更可能とされた分岐経路それぞれの経路長を互いに連動して変更する構成としておくことが好ましい。
【００４２】
ところで、スクロールポンプ１の吐出流路２１がゴムホースなどのような変形しやすい材質のものである場合には、外圧が加わることなどにより吐出流路２１を流通している空気の圧力変動が発生することがある。しかしながら、本実施の形態で説明したような複数の分岐経路からなる分岐経路群を吐出流路２１に配設しておけば、その経路長を容易に変更し得るため、外的要因に起因した空気の圧力変動にも対処可能となる。さらに、この際、モータ回転数及び空気の流速を検出し、自動的に分岐経路それぞれの経路長を変化される構成とすることも可能である。
【００４３】
以上説明した実施の形態１〜実施の形態３それぞれにおいては、スクロールポンプ１によって圧縮して吐出されるのが空気であるとしている。しかしながら、空気に限定されることはないのであり、空気以外の流体であってもよく、空気供給システム以外の一般的な流体供給システムであってもよいことは勿論である。
【００４４】
【発明の効果】
請求項１記載の発明にかかるスクロールポンプの吐出流路は、流体が並列に分岐されて流通する複数の分岐経路からなる分岐経路群と、この分岐経路群を流通し終えた流体が合流して流通する合流経路とを具備している。このような構成とされた吐出流路では、スクロールポンプから吐出されてくる流体の脈動を抑制することが可能となり、流体供給システムの振動や騒音を低減することができるという効果が得られる。
【００４５】
請求項２記載の発明にかかるスクロールポンプの吐出流路は、分岐経路群が互いの経路長が異なる２つの分岐経路から構成されており、これら分岐経路同士の経路長差は（ｎ＋０．５）ｆ×Ｖ（但し、ｎ：整数、ｆ：回転周波数、Ｖ：流速）とほぼ等しいことを特徴としている。このような構造である場合には、経路長の異なる分岐経路を流通するのに伴って流体の圧力変動の位相がずれることになり、これら位相のずれが合流時に打ち消し合うため、流体の圧力変動が小さくなるという効果が得られる。
【００４６】
請求項３記載の発明にかかるスクロールポンプの吐出流路は、分岐経路群及び合流経路を複数ずつ具備しており、これらの各々がスクロールポンプの流体吐出口側から順次交互に離間しながら配置されていることを特徴とする。この構造であれば、流体が分岐経路群を繰り返して流通するため、流体の圧力変動に伴う脈動を効率的に抑制することができるという効果が得られる。
【００４７】
請求項４記載の発明にかかるスクロールポンプの吐出流路は、分岐経路群のそれぞれが経路長の異なる２つの分岐経路から構成されており、各分岐経路群を構成している分岐経路同士の経路長差がスクロールポンプの流体吐出口から離間するのに従って小さくなることを特徴とする。このような構造とされていれば、より一層効率的に流体の脈動が抑制されるという効果が得られる。
【００４８】
請求項５記載の発明にかかるスクロールポンプの吐出流路は、分岐経路群のそれぞれを構成する分岐経路同士の経路長差がスクロールポンプの流体吐出口から離間している順番に従って（ｎ＋０．５）ｆ×Ｖ×１／２（ａ−１）　（但し、ｎ：整数、ｆ：回転周波数、Ｖ：流速、ａ：流体吐出口から分岐経路群が離間している順番）とほぼ等しくされていることを特徴とする。この構造であれば、１つの分岐経路群を流通し終える度毎に脈動の周期が半分となるのに応じて各分岐経路群を構成する分岐経路同士の経路長差を半分としているので、流体の圧力変動を抑制する効果が増大し、空気の脈動を効率的に抑制することができるという利点が確保される。
【００４９】
請求項６記載の発明にかかるスクロールポンプの吐出流路は、分岐経路群が互いの経路長が異なる３つ以上の分岐経路から構成されており、これら分岐経路同士の経路長差が（ｎ＋１／ｂ）ｆ×Ｖ（但し、ｎ：整数、ｆ：回転周波数、Ｖ：流速、ｂ：分岐経路の個数）とほぼ等しく設定されていることを特徴とする。このような構造である場合には、２つの分岐経路からなる分岐経路群よりも３つの分岐経路からなる分岐経路群の有する全長の方が短くて済むので、空気の圧力損失を低減しながら圧力変動を効率的に抑制できるという効果が得られる。
【００５０】
請求項７記載の発明にかかるスクロールポンプの吐出流路は、分岐経路群の複数を具備していることを特徴とする。そのため、スクロールポンプの流体吐出口から吐出してきた流体が複数の分岐経路群を繰り返して流通することになり、流体の圧力変動に伴う脈動を効率的に抑制することが可能になるという利点が確保される。
【００５１】
請求項８記載の発明にかかるスクロールポンプの吐出流路は、分岐経路群を構成している複数の分岐経路のうちの少なくとも１つが、その経路長の変更が可能な構成とされていることを特徴とする。このような構造であれば、少なくとも１つの分岐経路の経路長の可変とされているため、分岐経路群を流通する流体の流速などが変化した場合であっても確実に対処可能となり、流体の圧力変動に伴う脈動を抑制できるという効果が得られる。
【００５２】
請求項９記載の発明にかかるスクロールポンプの吐出流路は、分岐経路群を構成している複数の分岐経路のうちの２つ以上が経路長の変更が可能とされたものであり、かつ、これら分岐経路の経路長は互いに連動して変更される構成であることを特徴とする。このような構造である場合には、２つ以上の分岐経路における経路長を同時的に変更することが可能となるため、流体の流速変化などにも迅速に対処可能となり、流体の圧力変動に伴う脈動を効率的に抑制できるという効果が得られる。
【００５３】
請求項１０記載の発明にかかるスクロールポンプの吐出流路では、各分岐経路における経路長の変更を可能とするため、差し込んで支持されたスライド構造が採用されている。このような構造であれば、極めて容易に各分岐経路の経路長を変更できるという利点が確保される。
【図面の簡単な説明】
【図１】実施の形態１にかかるスクロールポンプの吐出流路の構造を示す縦断面図である。
【図２】実施の形態１にかかるスクロールポンプの吐出流路の構造を示す横断面図である。
【図３】実施の形態１にかかる吐出流路の圧力分布状態を示す説明図である。
【図４】実施の形態１にかかる吐出流路の圧力分布状態を示す説明図である。
【図５】実施の形態１にかかる吐出流路の圧力分布状態を示す説明図である。
【図６】実施の形態２にかかるスクロールポンプの吐出流路の構造を示す縦断面図である。
【図７】実施の形態２にかかるスクロールポンプの吐出流路の構造を示す横断面図である。
【図８】実施の形態２にかかる吐出流路の圧力分布状態を示す説明図である。
【図９】実施の形態２にかかる吐出流路の圧力分布状態を示す説明図である。
【図１０】実施の形態３にかかる吐出流路の圧力分布状態を示す説明図である。
【図１１】実施の形態３にかかるスクロールポンプの吐出流路の構造を示す縦断面図である。
【図１２】実施の形態１〜３及び従来の形態にかかる空気供給システムの全体構造を示す説明図である。
【図１３】実施の形態１〜３及び従来の形態にかかるスクロールポンプの全体構造を示す断面図である。
【図１４】実施の形態１〜３及び従来の形態にかかるスクロールポンプの空気室の様子を示す説明図である。
【図１５】実施の形態１〜３及び従来の形態にかかるスクロールポンプの空気室の様子を示す説明図である。
【図１６】実施の形態１〜３及び従来の形態にかかるスクロールポンプの空気吐出口近辺の圧力変動状態を示す説明図である。
【図１７】実施の形態１〜３及び従来の形態にかかるスクロールポンプの空気吐出口近辺の圧力分布状態を示す説明図である。
【符号の説明】
１　　スクロールポンプ
２　　エアバッグ
４　　排気弁
５　　制御回路
２１　　吐出流路
２２　　第１の分岐経路群
２２ａ　分岐経路
２２ｂ　分岐経路
２３　　第１の合流経路
２４　　第２の分岐経路群
２４ａ　分岐経路
２４ｂ　分岐経路
２５　　第２の合流経路
２７　　分岐経路群
２７ａ　分岐経路
２７ｂ　分岐経路
２７ｃ　分岐経路
２８　　合流経路
２９　　分岐経路群
２９ａ　分岐経路
２９ｂ　分岐経路
３０　　合流経路
【図１】
2004028034.tif 000003
【図２】
2004028034.tif 000004
【図３】
2004028034.tif 000005
【図４】
2004028034.tif 000006
【図５】
2004028034.tif 000007
【図６】
2004028034.tif 000008
【図７】
2004028034.tif 000009
【図８】
2004028034.tif 000010
【図９】
2004028034.tif 000011
【図１０】
2004028034.tif 000012
【図１１】
2004028034.tif 000013
【図１２】
2004028034.tif 000014
【図１３】
2004028034.tif 000015
【図１４】
2004028034.tif 000016
【図１５】
2004028034.tif 000017
【図１６】
2004028034.tif 000018
【図１７】
2004028034.tif 000019